(57)【要約】      （修正有）【課題】サイズ増大を防ぎつつ、十分な予冷能力を持つ抽気の予冷器システムを提供する。【解決手段】予冷器システム１３は、インレットプレナム２５を通るバイパスエンジンファン空気を受け取るようになっているファン３４、並びにインレットプレナム及びファンからの気流を制御するようになっているアウトレットガイドベーンアレイ（OGVA）３８を有する、動力付き予冷器ファンアセンブリ１５を採用する。動力付き予冷器ファンアセンブリには、ファンに動作可能に連結された回転動力源３０が伴う。シュラウド３５が、インレットプレナム、ファン、及びOGVAからの気流を、ファンとOGVAの下流に配置された予冷器１６の中へ導く。【選択図】図３
2020037393.tif 000002
【特許請求の範囲】
【請求項１】
バイパスエンジンファン空気を受け取るようになっているインレットプレナム（２５）と、
動力付き予冷器ファンアセンブリ（１５）であって、
前記インレットプレナム（２５）を通して前記バイパスエンジンファン空気を受け取るファン（３４）、
前記インレットプレナム（２５）及び前記ファン（３４）からの気流を制御するようになっているアウトレットガイドベーンアレイ（OGVA）（３８）、
前記ファン（３４）を駆動するために連結された回転動力源（３０、６０）、並びに
前記インレットプレナム（２５）、前記ファン（３４）、及び前記OGVA（３８）からの気流を導くようになっているシュラウド（３５）を有する、動力付き予冷器ファンアセンブリ（１５）と、
前記シュラウド（３５）からの気流を受け取る、前記動力付き予冷器ファンアセンブリ（１５）の下流の予冷器（１６）とを備える、予冷器システム（１３）。
【請求項２】
前記回転動力源（３０、６０）が、空気圧タービン（３０）又は電気モータ（６０）を備える、請求項１に記載の予冷器システム（１３）。
【請求項３】
前記回転動力源（３０、６０）が、前記ファン（３４）の下流にある、請求項１又は２に記載の予冷器システム（１３）。
【請求項４】
前記回転動力源（３０、６０）が、選択的に制御可能であり、前記OGVA（３８）が、開位置から閉位置までの位置の範囲にわたり調整可能な複数の可変ガイドベーン（３９）を備える、請求項１から３のいずれか一項に記載の予冷器システム（１３）。
【請求項５】
前記回転動力源（３０、６０）及び前記OGVA（３８）を、少なくとも第１のモード及び第２のモードで動作させるように構成された、制御システム（１００）を更に備える、請求項１から４のいずれか一項に記載の予冷器システム（１３）。
【請求項６】
前記回転動力源（３０、６０）が前記空気圧タービン（３０）であり、前記制御システム（１００）が、
前記空気圧タービン（３０）に連結された空気供給ライン（５０）を通る流れを制御する圧力弁（１０６）に対してファン制御信号（１０４）を提供するようになっているコントローラ（１０２）であって、更に、前記OGVA（３８）の前記可変ガイドベーン（３９）を位置決めするために動作可能に連結されたアクチュエータ（１１０）に対してOGVA位置決め信号（１０８）を提供するようになっており、温度信号（１１２）に応答する、コントローラ（１０２）、
前記第１のモードが、前記ファン制御信号（１０４）が前記空気圧タービン（３０）に対する空気の流れを閉じ、前記OGVA位置決め信号（１０８）が開位置から閉位置までの範囲にわたり前記可変ガイドベーン（３９）を調整することを特徴とし、
前記第２のモードが、前記ファン制御信号（１０４）が前記空気圧タービン（３０）に対して空気の流れを供給する前記圧力弁（１０６）を開き、前記ファン（３４）に動力供給することを特徴とする、請求項１から５のいずれか一項に記載の予冷器システム（１３）。
【請求項７】
前記少なくとも第１のモード及び第２のモードが、前記コントローラ（１０２）が、前記温度信号（１１２）に応答して所定の温度を実現するために、同時に、前記圧力弁（１０６）を通る流れを増加又は低減させることによって前記ファン（３４）を動作させるための前記ファン制御信号（１０４）を調整し、且つ、位置の範囲にわたり前記可変ガイドベーン（３９）を作動させるための前記OGVA位置決め信号（１０８）を調整することを特徴とする、一般的な動作モードを更に含む、請求項１から６のいずれか一項に記載の予冷器システム（１３）。
【請求項８】
予冷器（１６）の動作を向上させるための方法であって、
ファン（３４）を駆動する回転動力源（３０、６０）、及び、インレットプレナム（２５）と前記予冷器（１６）の中間に可変ガイドベーン（３９）を有するアウトレットガイドベーンアレイ（OGVA）（３８）を、前記ファン（３４）に提供すること、
前記予冷器（１６）からのアウトレット空気の温度を検知し、コントローラに温度信号（１１２）を提供すること、
第１の動作モードで、前記温度信号（１１２）に応答して前記OGVA（３８）を制御すること、及び
第２の動作モードで、前記ファン（３４）の速度を制御することを含む、方法。
【請求項９】
温度が高い信号に応答して、前記OGVA（３８）を開位置に向けて調整することによって前記予冷器（１６）の出力温度を低減させること、及び、温度が低い信号に応答して、前記OGVA（３８）を閉位置に向けて調整することによって温度を増加させることを更に含む、請求項８に記載の方法。
【請求項１０】
前記温度が高い信号に応答して前記予冷器（１６）を更に冷却するために前記ファン（３４）の速度を増加させ、前記温度が低い信号に応答して前記予冷器（１６）内の前記温度を増加させるためにファン速度を低減させることによって、前記ファン（３４）の速度を制御することを更に含む、請求項８又は９に記載の方法。
【請求項１１】
前記OGVA（３８）の調整と前記ファン（３４）の速度との間を最適化して、温度変化の即時状態及び傾向状態を制御することを更に含む、請求項８から１０のいずれか一項に記載の方法。
【発明の詳細な説明】
【技術分野】
【０００１】
本開示の実施態様は、広くは、航空機環境制御予冷器システム用のファン空気補助動力の分野に関し、特に、予冷器へのファンの流れを促進するための小型空気圧タービン又は電気モータによって駆動される、可変出口ガイドベーンを有する単段ファンに関する。
【背景技術】
【０００２】
大きな民間航空機は、エンジン・コンプレッサ・セクションからの抽気に頼る、客室空気圧力及び温度用の環境制御システム（ECS）を採用する。ターボファンエンジンを有する航空機では、コンプレッサからの抽気が、迂回したファンバイパス空気の流れを用いて、当業界で予冷器として知られている熱交換器によって冷却され、次いでECSシステム及びその抽気を使用する任意の他のシステムに経路指定される。現代の高バイパス比のターボファンエンジンでは、ECS流れ要件とジェットエンジンファン圧力比の低減のために、予冷器がますます大きくなっている。予冷器とって利用可能な空間は狭く、予冷器インレットにとって利用可能な長さは、短すぎて均一な流れ分布を保証することができない。流れが均一に分布していない場合、予冷器の熱性能は適切なものになり得ず、予冷器の寿命は熱応力によって大きな影響を受けるだろう。制約された空間内にエンジンを設置する場合、非常に低い圧力比のファンとの予冷器の統合は、ますます困難になっている。高バイパス比のエンジンは、予冷器に必要とされる圧力を生成せず、増大したバイパス比及びファン直径のもとで熱遮断の必要性が高まっている。予冷器の効率を更に劣化させ得るファンダクトの下流の損失も、望ましくない。サイズと流れの両方の制約に対処する解決策として、エンジンの長さを増加させることは、航空機に大きな重量を追加し、ローター動力学の観点から可能ではないだろう。
【発明の概要】
【０００３】
本開示の実施態様は、インレットプレナムを通るバイパスエンジンファン空気を受け取るようになっているファン、並びにインレットプレナム及びファンからの気流を制御するようになっているアウトレットガイドベーンアレイ（OGVA）を有する、動力付き予冷器ファンアセンブリを採用する、予冷器システムを提供する。動力付き予冷器ファンアセンブリには、ファンに動作可能に連結された回転動力源が伴う。シュラウドが、インレットプレナム、ファン、及びOGVAからの気流を導き、予冷器が、ファンとOGVAの下流に配置されており、シュラウドからの気流を受け取る。
【０００４】
開示される実施態様は、ファンを駆動する回転動力源、及びインレットと予冷器の中間に可変ガイドベーンを有するアウトレットガイドベーンアレイ（OGVA）を、ファンに提供することによって、予冷器の動作を向上させるための方法を提供する。予冷器からのアウトレット空気の温度が検知され、温度信号がコントローラに提供される。第１の動作モードでは、温度信号に応答してOGVAが制御され、第２の動作モードでは、温度信号に応答してファンの速度が制御される。
【０００５】
動力付き予冷器ファンアセンブリの特徴、機能、及び利点は、本開示の様々な実装態様において独立して達成可能であり、又は、以下の説明及び図面を参照して更なる詳細が理解可能である更に他の実装態様において組み合わされてもよい。
【図面の簡単な説明】
【０００６】
【図１】本明細書で開示される、動力付き予冷器ファンアセンブリの実施態様の配置を示す民間航空機の絵画図である。
【図２】ターボファンエンジン及び支持構造体に関連した、本明細書で開示される実施態様の設置の絵画側面図である。
【図３】動力付き予冷器ファンアセンブリの第１の構成のブロック図である。
【図４Ａ】第１の構成の例示的な一実施態様の絵画表現である。
【図４Ｂ】ファン、アウトレットガイドベーンアレイ、及びタービンを露出する、インレット及びシュラウドの部分断面を伴う、図４Ａの実施態様の側面図である。
【図４Ｃ】透視図で示されている空気供給ラインを有するタービン及びシャフトの更なる断面を伴う、図４Ａの実施態様の詳細側面図である。
【図４Ｄ】閉位置にあるアウトレットガイドベーンアレイのベーンを示す、図４Ａの実施態様の側面断面図である。
【図５】動力付き予冷器ファンアセンブリの第２の構成のブロック図である。
【図６Ａ】第２の構成の例示的な一実施態様の絵画表現である。
【図６Ｂ】分かり易いようにインレットとシュラウドの前方部分を取り除いた、逆の角度からの図６Ａで示された第２の実施態様の絵画表現である。
【図６Ｃ】図６Ａの実施態様の詳細側面図である。
【図７】動力付き予冷器ファンアセンブリの第３の構成のブロック図である。
【図８Ａ】動力付き予冷器ファンアセンブリ用の制御システムのブロック図である。
【図８Ｂ】空気圧タービン供給空気と空気軸受け供給空気とを組み合わせた、制御システムのブロック図である。
【図９】動力付き予冷器ファンアセンブリの動作のための実施態様の動作のフローチャートである。
【発明を実施するための形態】
【０００７】
本明細書で開示される実施態様は、インレットプレナムを通るバイパスエンジンファン空気を受け取るようになっている単段ファンを有する動力付き予冷器ファンアセンブリを採用する予冷器システムを提供する。小さい空気圧タービン又は電気モータなどの回転動力源が、ファンを駆動するように動作可能に連結されている。開示される実施態様では、ファンが軸流ファンである。可変ガイドベーンを有するアウトレットガイドベーンアレイ（OGVA）が、インレットプレナム及びファンからの気流を制御するようになっている。インレットプレナムと予冷器を相互連結するシュラウドが、インレットプレナム、ファン、及びOGVAからの気流を、予冷器の中へ導くようになっている。専用空気ラインによって空気圧タービン用の加圧インレット流れが供給され、（膨張後に非常に冷たくなり得る）空気圧タービンの排気ガスが、ファンの上流又は下流のうちの何れかで予冷器の中へ放出される。可変出口ガイドベーンは、二重の用途を有する。（風車状態のように）ファンが動作していないときに、OGVA内の可変ガイドベーンは、予冷器の中への空気を抑制するように使用されてよい。これは、弁を調節する先行技術のファン空気の機能を実行する。ファンが動力供給されているときに、可変ガイドベーンは、ファンからのスワールを除去し、空気をわずかに広げて、予冷器インレット流れを最適化する。
【０００８】
図面を参照すると、図１は、ストラットフェアリング１４内で包囲されている（図２で詳細に示されている）構造ストラット１１を介して主翼に取り付けられているエンジン１２を有する民間航空機１０を示している。予冷器１６が、ストラットフェアリング１４内でストラット１１の下方に取り付けられている。図２を参照すると、予冷器１６は、内部熱交換器用の供給物として、１以上の導管２０を通してエンジンのコンプレッサ・セクション１８から抽気の流れを受け取る。予冷器１６内の熱交換用の冷却流れは、エンジンのファン２２内のバイパス流れから引き出され、インレットプレナム２５を形成している予冷器インレット２４を通して予冷器に供給される。次いで、予冷された空気が、矢印２６によって表されているように、１以上の予冷器アウトレットを通してECSに供給される。実施態様において空調システム用の予冷器として説明されているが、本実施態様は、油冷用の類似のファンバイパス空気冷却器、又はファンバイパス空気で冷却されるデバイスのための他の用途で採用されてよい。
【０００９】
複数エンジンの航空機では、図２に関連して説明されたものと類似のシステムが、適切な弁を介してマニホールドの中に連結された更なるエンジンのうちのそれぞれ又は１つ用に存在してよい。
【００１０】
現代の高バイパス比のエンジンを有する航空機内で予冷器１６の所望の動作能力を実現するために、予冷器１６及び結合されたインレット２４と併せて、動力付き予冷器ファンアセンブリ１５を有する、予冷器システム１３が採用される。予冷器システム１３内で使用される動力付き予冷器ファンアセンブリ１５の第１の構成のブロック図が、図３で示されている。回転動力源として作用する空気圧タービン３０は、空気圧供給ライン３２を介してエンジン１２のコンプレッサ・セクション１８から受け取った加圧気流によって動力供給される。インレットプレナム２５からの流路を提供するダクト又はシュラウド３５内に収容された複数ブレードの単段ファン３４が、シャフト３６を介して空気圧タービン３０によって駆動される。前述したように、ファン３４は、インレットプレナム２５を通して引き込まれるエンジンファンセクション２２のバイパス流れから出た空気の流量及び圧力を増加させるようになっている。（図４Ａ〜図４Ｄにおいて見られるように）複数の可変ガイドベーン３９を有するアウトレットガイドベーンアレイ３８（OGVA）は、ファン３４の下流に位置決めされ、インレットプレナム２５をファン３４の下流に配置された予冷器１６に連結するシュラウド３５を通る空気の流れをガイドし制御するようになっている。可変ガイドベーン３９は、OGVA３８がファン３４からのスワールを除去することを可能にする開（オープン）位置から、ファン３４が動作していないときにシュラウド３５を通る予冷器１６の中への流れを抑制するための閉（クローズ）位置までの、位置の範囲を通して調整可能である。図示されている実施態様では、空気圧タービンが、ファン及びOGVAの下流に位置決めされている。
【００１１】
図３の構成のための概念的な実施態様が、図４Ａ及び図４Ｂで一般的に示され、図４Ｃ及び図４Ｄで詳細に示されている。空気圧タービン３０は、（図４Ｃで最も良くみられる）インレット渦巻部４２及びアウトレットディフューザ４４を有する、ケース４０を有する半径流タービンである。（分かり易くするために図４Ｃで透視図で示されている）空気圧供給ライン３２からの高圧インレット空気は、渦巻き部４２で受け取られ、（矢印４７によって表されているように）タービン羽根車４６を通ってディフューザ４４の中へ膨張する。シャフト３６を介したタービン羽根車４６のファン３４との連結は、ファンに回転動力を供給する。示されている実施態様では、タービンケース４０が、アウトレットディフューザ４４と予冷器１６の前方表面構造体１７との相互連結によって構造的に支持されていてよい。タービンケース４０からシュラウド３５又は他の予冷器構造体へのブラケット又は他の支持体が、代替的に又は更に設けられてよい。
【００１２】
タービン３０からのアウトレット流れが、アウトレットディフューザ４４を通して供給される。アウトレットディフューザ４４は、シュラウド３５を通るファン３４からの流れと共に予冷器１６の中へ流れを混入させる。タービンホイール４６によって引き出される仕事は、出口ディフューザ４４による更なる膨張を伴って、アウトレットディフューザ内に冷たいフローストリームを生成する更なる冷却を提供することができる。図４Ｃで見られるように、シャフト３６は、空気軸受け４８によって支持されていてよい。空気軸受け４８用の供給空気は、供給ライン５０を通して供給されてよい。供給ライン５０は、必要な場合、（以下の図８Ａに関連して見られ且つ説明される）空気冷却器５２を含むことができる。その供給空気も、コンプレッサ・セクション１８から抽出されてよい。推力軸受け５４が、タービンホイール４６とファン３４との間の推力に反作用するために設けられている。
【００１３】
図４Ａ、図４Ｂ、及び図４Ｃで見られるように、開位置にあるOGVA３８は、ファン３４からの流れを予冷器１６の中へ導き、流れの中のスワールを除去する。図４Ｄで見られるように、OGVA３８内のベーン３９は、インレットから予冷器１６の中への流れを抑制するように位置決めされてよい。ベーン３９は、示されているようにOGVA３８を閉位置に配置する回転を可能にするように、テーパが付けられ若しくはオフセットされ又はそれらの両方であってよい。
【００１４】
予冷器システム１３内に組み込まれる動力付き予冷器ファンアセンブリ１５’の第２の構成のブロック図が、図５で示されている。前の実施形態におけるように、空気圧タービン３０は、エンジン１２のコンプレッサ・セクション１８からの加圧流れを受け取る空気圧供給ライン３２によって動力供給される。複数ブレードのファン３４は、シュラウド３５内で空気圧タービン３０の後ろに収容され、シャフト３６を介して空気圧タービン３０によって駆動される。可変入射角を有する（図６Ａ、図６Ｂで見られる）ベーン３９を有するアウトレットガイドベーンアレイ３８（OGVA）は、ファン３４の下流に位置決めされ、インレットプレナム２５をファン３４の下流に配置された予冷器１６に連結するシュラウド３５を通る空気の流れをガイドするようになっている。第１の構成におけるように、ベーン３９は、OGVA３８がファン３４からのスワールを除去することを可能にする開（オープン）位置から、ファン３４が動作していないときにシュラウド３５を通る予冷器１６の中への流れを抑制するための閉（クローズ）位置までの、位置の範囲を通して調整可能である。
【００１５】
図５の構成のための概念的な実施態様が、（分かり易くするためにシュラウド及びインレットの前方部分が取り除かれている）図６Ａ及び図６Ｂで一般的に示され、図６Ｃで詳細に示されている。前述された実施態様におけるように、空気圧タービン３０は、インレット渦巻部４２及びアウトレットディフューザ４４を有する、ケース４０を有する半径流タービンである。空気圧タービン３０の取り付けは、タービンケース４０からシュラウド３５又はインレット２４の他の構造体まで延在するストラット３１を用いて実現される。（分かり易くするために図６Ｃで透視図で示されている）空気圧供給ライン３２からの高圧インレット空気は、渦巻き部４２で受け取られ、タービン羽根車４６を通ってディフューザ４４の中へ膨張する。タービン羽根車４６は、シャフト３６を介してファン３４に回転動力を供給する。以前の実施態様におけるように且つ図６Ｃで見られるように、シャフト３６は、空気軸受け４８によって支持されていてよい。空気軸受け４８用の供給空気は、供給ライン５０を通して供給されてよい。その供給空気も、コンプレッサ・セクション１８から抽出されてよい。推力軸受け５４が、タービンホイール４６とファン３４との間の推力に反作用するために設けられている。
【００１６】
タービン３０からのアウトレット流れは、アウトレットディフューザ４４を通して供給され、ファン３４の前の流路の中に混入されるが、空気の流れの膨張及びタービンホイール４６による仕事の引き出しによって、アウトレットディフューザ４４内に冷たいフローストリームを生成する更なる冷却を提供することができる。ディフューザは、実施態様において軸流を有するように示されているが、シュラウド３５内のより大きな領域にわたり膨張される流れのためのアウトレットを設けた、半径流ディフューザ又はそのディフューザのセグメンテーションが採用されてよい。
【００１７】
動力付き予冷器ファンアセンブリ１５”の第３の構成では、回転動力源が、図７で示されているような電気モータ６０であってよい。第３の構成の実施態様の動作のためのファン３４及びOGVA３８の構成は、第１及び第２の構成において、タービン３０への空気圧を電気モータ６０への電力で置き換えたものと実質的に同一である。直接的にか又は可変電力継電器６４を介してかの何れかで、ケーブル６２を通して電源から供給された電力が、シャフト３６を介したファン３４の動作のために、電気モータ６０に投入される。
【００１８】
説明され図面で示された第１、第２、第３の構成は、ファン３４の下流にOGVA３８を配置する。代替的に、OGVA３８は、ファン３４の上流に配置されて、インレットプレナム２５とファン３４の中間の流れを制御することもできる。
【００１９】
動力付き予冷器ファンアセンブリ用の制御システム１００及び一般的な概略構成が、図８Ａで示されている。動力付き予冷器ファンアセンブリ１５又は１５’を通る流れの制御では、OGVA３８が、完全にオープンされ、完全にクローズされ、又は完全にオープンと完全にクローズの間の任意の位置に設定され得る。動力付き予冷器ファンアセンブリは、通常、少なくとも２つの動作モードで動作することができる。第１のモードでは、タービン３０への空気の流れが閉じられ、OGVA３８が、開位置から閉位置まで可変ガイドベーン３９を調整することによって、インレットプレナム２５から予冷器１６までの流れを制御する。第２のモードでは、タービン３０への空気の流れが開かれ、タービンがファン３４に動力供給する。可変ガイドベーン３９が流量を調整するために角度範囲にわたり制御され、空気の流れを調整することによってタービン３０及びファン３４の速度が流量の範囲にわたり制御される、他の幾つかのモードが利用可能である。全ての動作モードでは、ファン３４及びOGVA３８が、予冷器から放出される空気の温度が所望の所定温度（例えば、華氏３５０度）に維持されるように制御される。したがって、動力付き予冷器ファンアセンブリ１５内の構成要素の構成は、外部の空気温度、システムへの熱負荷、航空機１０の対気速度、及びエンジンファン２２の推力設定に基づいて変動することに留意されたい。
【００２０】
制御システム１００は、空気圧供給ライン３２を通る流れを制御する圧力弁１０６に、ファン制御信号１０４を提供するようになっている、コントローラ１０２を組み込んでいる。コントローラ１０２は、更に、OGVAの可変ガイドベーン３９を位置決めするために動作可能に連結されたアクチュエータ１１０に、OGVA位置決め信号１０８を提供するようになっている。コントローラ１０２は、予冷器１６内の熱電対又は他の温度センサからの温度信号１１２に応答する。図８Ｂで見られるように、空気圧タービン３０に動力供給する空気圧供給ライン３２、及び空気軸受け４８用の供給ライン５０は、コンプレッサ・セクション１８からからの単一の高圧導管５１から供給を受けてよい。冷却器５２は、タービンインレット渦巻部と空気軸受けとの両方に供給される空気のための冷却を提供する。その冷却は、両方の用途に対して有利であり得る。導管２０を通る予冷器までの抽気供給は、通常、コンプレッサ・セクション１８から別々に行われることになるが、ある場合では、高圧導管５１を通して行われてもよい。
【００２１】
第１の動作モードでは、エンジンファン２２からのバイパス空気が、インレット２４の中に注入される。上述されたように、インレット２４では、空気がファン３４及びOGVA３８を通るように導かれる。第１の実施例では、外部空気の温度が比較的低く（冷たい空気）、予冷器に対する熱負荷が低い（予冷器１６の内側で熱伝達がほとんど必要ない）。このモードでは、ファン３４の動作が必要ではないかもしれない。したがって、コントローラ１０２は、圧力弁１０６に対して制御信号１０４を送信しないことになる。圧力弁１０６は、閉じたままになる。このモードでは、ファン３４が、「風車状態」にある（エアストリーム内で自由に回転する）。OGVA３８は、温度信号１１２に応答して必要とされるように、OGVA位置決め信号１０８によってオープンか又はクローズに調整されて、予冷器から放出される空気の温度が所定の温度に維持されるために必要とされるように、適量な冷却空気を予冷器１６に供給する。OGVAベーン３９の起動が、OGVA位置決め信号１０８に応答したアクチュエータ１１０によって、機械的、液圧的、ガス圧的、又は電気的に実現されてよい。
【００２２】
しかし、インレット２４内で受け取られるファンバイパス空気の温度が増加した、又は予冷器１６に対する熱負荷が増加したときに、システムは、OGVA３８の動作がもはや予冷器１６のアウトレット空気の温度を調節するのに十分でないポイントに到達することとなる。一実施例として、OGVA３８は、完全に開くことができるが、予冷器アウトレット２６内の空気の温度は所定の温度よりも高い。この場合、第２の動作モードを参照して、コントローラ１０２が、予冷器１６からの温度信号１１２に応答して、ファン３４を起動するためのファン制御信号１０４を送信し、圧力弁１０６を制御可能に開くことができる。上述の第３の構成では、ファン制御信号１０４が、電気モータ６０に対する直接的な電力信号であってよく、又は電気モータに電力を供給する可変電力継電器６４に対する制御信号であってよい。第２の動作モードでは、コントローラ１０２が、所定の温度を維持するために、ファン３４とOGVA３８の両方を動作させる。例示的な実施態様では、一般的な動作モードでは、OGVA３８が、ファン３４が起動される前に完全にオープンになる必要がない。むしろ、コントローラ１０２は、所望の所定温度を実現するために、ファン３４及びOGVA３８を同時に動作させるように構成されている。一実施例として、ファンの速度が、ファン制御信号１０４によって一定に保持され得ると同時に、OGVA３８が、OGVA位置決め信号１０８によって調整されて、可変ガイドベーン３９を位置の範囲にわたり位置決めする。任意選択的に、OGVA３８が、ある所定の位置に維持され得ると同時に、ファン３４の速度が、ファン制御信号１０４によって圧力弁１０６を通る流れを増加又は低減させることによって流量の範囲にわたり調整される。更に、ファン３４の速度とOGVA３８の位置の両方が、コントローラ１０２によって同時に調整されてよい。
【００２３】
図９で示されているように、開示される実施態様は、ステップ２０２で、予冷器からのアウトレット空気の温度を検知すること及びコントローラ１０２に対して温度信号１１２を提供することによって、インレットプレナム２５と予冷器の中間に挿入された、動力付き予冷器ファンアセンブリ１５、１５’、又は１５”を有する、予冷器１６の動作を向上させるための方法２００を提供する。第１の動作モード２０３では、OGVA３８が、温度信号に応答して、完全に開位置と完全に閉位置の間の範囲内で制御される。２０４で、温度が高い信号に応答して、ステップ２０５で、OGVA３８を開位置に向けて調整することによって予冷器の出力温度を低減させ、２０６で、温度が低い信号に応答して、ステップ２０７で、OGVAを閉位置に向けて調整することによって温度を増加させる。第２の動作モード２０８では、ファン３４の速度が更に制御され、２０４で、温度が高い信号に応答して、ステップ２０９で、ファンの速度を増加させることによって予冷器（１６）更に冷却し、２０６で、温度が低い信号に応答して、ステップ２１０で、ファン速度を低減させることによって予冷器１６内の温度を増加させる。コントローラは、OGVAの調整とファンの速度との間を最適化して、温度変化の即時状態のみならず、傾向状態も制御する。
【００２４】
更に、本開示は、下記の条項による実施形態を含む。
条項１.
バイパスエンジンファン空気を受け取るようになっているインレットプレナムと、
動力付き予冷器ファンアセンブリであって、
前記インレットプレナムを通して前記バイパスエンジンファン空気を受け取るファン、
前記インレットプレナム及び前記ファンからの気流を制御するようになっているアウトレットガイドベーンアレイ（OGVA）、
前記ファンを駆動するために連結された回転動力源、並びに
前記インレットプレナム、前記ファン、及び前記OGVAからの気流を導くようになっているシュラウドを有する、動力付き予冷器ファンアセンブリと、
前記シュラウドからの気流を受け取る、前記動力付き予冷器ファンアセンブリの下流の予冷器とを備える、予冷器システム。
条項２．
前記回転動力源が、空気圧タービンを備える、条項１に記載の予冷器システム。
条項３．
前記回転動力源が、電気モータを備える、条項１に記載の予冷器システム。
条項４．
前記回転動力源が、前記ファンの上流にある、条項１に記載の予冷器システム。
条項５．
前記回転動力源が、前記ファンの下流にある、条項１に記載の予冷器システム。
条項６．
前記回転動力源が、選択的に制御可能であり、前記OGVAが、開位置から閉位置までの位置の範囲にわたり調整可能な複数の可変ガイドベーンを備える、条項１に記載の予冷器システム。
条項７．
前記回転動力源及び前記OGVAを、少なくとも第１のモード及び第２のモードで動作させるように構成された、制御システムを更に備える、条項６に記載の予冷器システム。
条項８．
前記回転動力源が空気圧タービンであり、前記制御システムが、
前記空気圧タービンに連結された空気供給ラインを通る流れを制御する圧力弁に対してファン制御信号を提供するようになっているコントローラであって、更に、前記OGVAの前記可変ガイドベーンを位置決めするために動作可能に連結されたアクチュエータに対してOGVA位置決め信号を提供するようになっており、温度信号に応答する、コントローラ、
前記第１のモードが、前記ファン制御信号が前記空気圧タービンに対する空気の流れを閉じ、前記OGVA位置決め信号が開位置から閉位置までの範囲にわたり前記可変ガイドベーンを調整することを特徴とし、
前記第２のモードが、前記ファン制御信号が前記空気圧タービンに対して空気の流れを供給する前記圧力弁を開き、前記ファンに動力供給することを特徴とする、条項７に記載の予冷器システム。
条項９．
前記少なくとも第１のモード及び第２のモードが、前記コントローラが、前記温度信号に応答して所定の温度を実現するために、同時に、前記圧力弁を通る流れを増加又は低減させることによって前記ファンを動作させるための前記ファン制御信号を調整し、且つ、位置の範囲にわたり前記可変ガイドベーンを作動させるための前記OGVA位置決め信号を調整することを特徴とする、一般的な動作モードを更に含む、条項８に記載の予冷器システム。
条項１０．
インレットプレナムを通るバイパスエンジンファン空気を受け取るようになっているファン、
前記インレットプレナム及び前記ファンからの気流を制御するようになっているアウトレットガイドベーンアレイ（OGVA）、
前記ファンに動作可能に連結された回転動力源、並びに
前記インレットプレナム、前記ファン、及び前記OGVAからの気流を、前記ファン及び前記OGVAの下流に配置された予冷器の中へ導くようになっているシュラウドを備える、動力付き予冷器ファンアセンブリ。
条項１１．
前記回転動力源が、空気圧タービンを備える、条項１０に記載の動力付き予冷器ファンアセンブリ。
条項１２．
前記空気圧タービンが、インレット渦巻部及びアウトレットディフューザを有する、ケースを有する半径流タービンを備える、条項１１に記載の動力付き予冷器ファンアセンブリ。
条項１３．
前記アウトレットディフューザが、アウトレット流れを前記予冷器の中へ混入させる、条項１２に記載の動力付き予冷器ファンアセンブリ。
条項１４．
前記空気圧タービンが、前記ファンの下流にある、条項１３に記載の動力付き予冷器ファンアセンブリ。
条項１５．
前記半径流タービンからのアウトレット流れが軸流である、条項１４に記載の動力付き予冷器ファンアセンブリ。
条項１６．
前記空気圧タービンが、前記ファンの上流にある、条項１３に記載の動力付き予冷器ファンアセンブリ。
条項１７．
予冷器の動作を向上させるための方法であって、
ファンを駆動する回転動力源、及び、インレットプレナムと前記予冷器の中間に可変ガイドベーンを有するアウトレットガイドベーンアレイ（OGVA）を、前記ファンに提供すること、
前記予冷器からのアウトレット空気の温度を検知し、コントローラに温度信号を提供すること、
第１の動作モードで、前記温度信号に応答して前記OGVAを制御すること、及び
第２の動作モードで、前記ファンの速度を制御することを含む、方法。
条項１８．
温度が高い信号に応答して、前記OGVAを開位置に向けて調整することによって前記予冷器の出力温度を低減させること、及び、温度が低い信号に応答して、前記OGVAを閉位置に向けて調整することによって温度を増加させることを更に含む、条項１７に記載の方法。
条項１９．
前記温度が高い信号に応答して前記予冷器を更に冷却するために前記ファンの速度を増加させ、前記温度が低い信号に応答して前記予冷器内の前記温度を増加させるためにファン速度を低減させることによって、前記ファンの速度を制御することを更に含む、条項１８に記載の方法。
条項２０．
前記OGVAの調整と前記ファンの速度との間を最適化して、温度変化の即時状態及び傾向状態を制御することを更に含む、条項１９に記載の方法。
【００２５】
ここまで本開示の様々な実施形態を特許法制で要求されるように詳しく説明してきたが、当業者は、本明細書に開示された特定の実施態様に対する変形例及び代替例を認識するであろう。かかる変形例は、以下の特許請求の範囲において規定される、本開示の範囲及び意図に含まれる。
【図１】
2020037393.tif 000003
【図２】
2020037393.tif 000004
【図３】
2020037393.tif 000005
【図４Ａ】
2020037393.tif 000006
【図４Ｂ】
2020037393.tif 000007
【図４Ｃ】
2020037393.tif 000008
【図４Ｄ】
2020037393.tif 000009
【図５】
2020037393.tif 000010
【図６Ａ】
2020037393.tif 000011
【図６Ｂ】
2020037393.tif 000012
【図６Ｃ】
2020037393.tif 000013
【図７】
2020037393.tif 000014
【図８Ａ】
2020037393.tif 000015
【図８Ｂ】
2020037393.tif 000016
【図９】
2020037393.tif 000017
【外国語明細書】
2020037393000001.pdf
2020037393000002.pdf
2020037393000003.pdf
2020037393000004.pdf